(57)【要約】【課題】現像剤を効率よく搬送することができるカートリッジを提供すること。【解決手段】  トナーを収容するトナー収容部５と、現像ローラ２を支持する現像部４７と、現像部４７とトナー収容部５とを連通する連通口４９とを有する現像カートリッジ１において、トナー収容部５内のアジテータ６のアジテータ軸６１を、圧縮ばね５１によって右方に付勢するとともに、アジテータ６の撹拌羽根６２を、現像フレーム３１の下壁３６の内面に接触させる。これにより、アジテータ軸６１を、撹拌羽根６２の弾性によって、上方へ押圧して、アジテータ軸６１の左右方向中央を、撹拌羽根６２によって押圧された方向に撓ませて、撹拌羽根６２の左右方向中央６２ＢＣと左右方向両端部６２ＢＥとを回転方向Ｒにおいてずらす。【選択図】図１
2015087664.tif 000002
【特許請求の範囲】
【請求項１】
現像剤を収容するように構成され、現像剤の通過を許容する開口を有する筐体と、
前記筐体内に回転可能に支持される回転軸を有し、現像剤を前記開口へ搬送するように構成される搬送部材と、
前記回転軸の軸線が延びる軸線方向において、前記搬送部材を付勢する付勢部材と
を備え、
前記搬送部材は、前記軸線方向と直交する方向において前記回転軸から前記筐体の内面に向かって延び、前記筐体の内面に接触する弾性部材を備え、前記回転軸に対して前記弾性部材と反対側において、前記筐体の内面と間隔を隔てている
ことを特徴とする、カートリッジ。
【請求項２】
前記搬送部材は、前記軸線方向の一方において前記筐体に回転可能に支持される第１端部と、前記軸線方向における前記一方とは反対側の他方において前記筐体に回転可能に支持される第２端部とを有し、
前記搬送部材は、前記回転軸の前記第１端部に対して相対回転不能に嵌まり、外部からの駆動力を前記回転軸に伝達するように構成される伝達部材を備え、
前記伝達部材は、前記筐体に相対回転可能に支持されている
ことを特徴とする、請求項１に記載のカートリッジ。
【請求項３】
前記伝達部材は、回転時に前記付勢部材の付勢方向と同じ方向へ向かうスラスト力を発生させる第１はす歯を有する
ことを特徴とする、請求項２に記載のカートリッジ。
【請求項４】
前記伝達部材から駆動力が伝達されて移動し、その移動を外部の検知部材によって検知されるように構成される被検知部材をさらに備え、
前記被検知部材は、前記第１はす歯と同じ方向へ向かうスラスト力を発生させる第２はす歯を有する
ことを特徴とする、請求項３に記載のカートリッジ。
【請求項５】
前記搬送部材の前記回転軸と平行な回転軸線を有し、前記搬送部材によって搬送された現像剤を担持するように構成されるローラ部材をさらに備え、
前記筐体の内面に対する前記弾性部材の接触端部は、前記搬送部材の回転方向において、前記軸線方向中央が前記軸線方向端部よりも下流に位置する
ことを特徴とする、請求項１〜４のいずれか一項に記載のカートリッジ。
【請求項６】
前記弾性部材は、前記開口に近づくときに前記筐体の内面に接触し、前記開口から遠ざかるときに前記筐体の内面から離間する
ことを特徴とする、請求項１〜５のいずれか一項に記載のカートリッジ。
【発明の詳細な説明】
【技術分野】
【０００１】
本発明は、電子写真方式が採用される画像形成装置に装着されるカートリッジに関する。
【背景技術】
【０００２】
電子写真方式の画像形成装置に装着されるカートリッジとして、像担持体上の静電潜像を現像するための現像剤を収容するカートリッジが知られている。
【０００３】
このようなカートリッジとして、像担持体を有する像担持体ユニットと、現像剤を収容する現像器ユニットとを備え、現像器ユニットの現像剤収容空間内に現像剤を撹拌する撹拌搬送装置を備えるプロセスカートリッジが提案されている（例えば、下記特許文献１参照。）。
【先行技術文献】
【特許文献】
【０００４】
【特許文献１】特開２００４−１９１４３６号公報
【発明の概要】
【発明が解決しようとする課題】
【０００５】
特許文献１に記載のプロセスカートリッジでは、撹拌搬送装置の軸部に湾曲面を形成し、撹拌搬送部材の羽根部を、湾曲面に沿うように湾曲された状態で軸部に支持しており、撹拌搬送装置の構成が複雑である。
【０００６】
そこで、本発明の目的は、簡易な構成で現像剤を効率よく搬送することができるカートリッジを提供することにある。
【課題を解決するための手段】
【０００７】
（１）上記した目的を達成するため、本発明のカートリッジは、現像剤を収容するように構成され、現像剤の通過を許容する開口を有する筐体と、筐体内に回転可能に支持される回転軸を有し、現像剤を開口へ搬送するように構成される搬送部材と、回転軸の軸線が延びる軸線方向において、搬送部材を付勢する付勢部材とを備える。
【０００８】
搬送部材は、軸線方向と直交する方向において回転軸から筐体の内面に向かって延び、筐体の内面に接触する弾性部材を備え、回転軸に対して弾性部材と反対側において、筐体の内面と間隔を隔てている。
【０００９】
このような構成によれば、回転軸は、付勢部材によって軸線方向に付勢されている。そして、弾性部材が筐体の内面に接触すると、回転軸は、弾性部材の弾性によって、軸線方向と直交する方向に押圧される。
【００１０】
ここで、回転軸を軸線方向に付勢するだけでは、回転軸を撓ませることはできず、また、弾性部材の弾性力を軸線方向と直交する方向から回転軸に作用させるだけでは、回転軸をほとんど撓ませることができない。
【００１１】
しかし、上記したように、回転軸を軸線方向に付勢した状態で、弾性部材の弾性力を軸線方向と直交する方向から回転軸に作用させると、弾性部材の弾性力によってわずかに撓んだ回転軸を、付勢部材の付勢力によって、より大きく撓ませることができる。
【００１２】
このように、回転軸の軸線方向中央は、弾性部材によって押圧された方向に撓む。
【００１３】
これにより、弾性部材は、その軸線方向中央が軸線方向両端部よりも復元した状態で筐体の内面に接触する。つまり、弾性部材は、回転軸の回転方向において、軸線方向中央と軸線方向両端部との位置がずれた状態で、筐体の内面に接触する。
【００１４】
その結果、簡易な構成で回転軸を撓ませて、現像剤を軸線方向に流動させながら、効率よく搬送することができる。
（２）搬送部材は、軸線方向の一方において筐体に回転可能に支持される第１端部と、軸線方向における一方とは反対側の他方において筐体に回転可能に支持される第２端部とを有してもよい。この場合、搬送部材は、回転軸の第１端部に対して相対回転不能に嵌まり、外部からの駆動力を回転軸に伝達するように構成される伝達部材を備えていてもよい。また、伝達部材は、筐体に相対回転可能に支持されていてもよい。
【００１５】
このような構成によれば、伝達部材が筐体に支持されているので、回転軸が撓んだときに、伝達部材が回転軸の撓みに応じて傾くことを抑制できる。
【００１６】
その結果、外部からの駆動力を伝達部材で確実に受けることができる。
（３）伝達部材は、回転時に付勢部材の付勢方向と同じ方向へ向かうスラスト力を発生させる第１はす歯を有してもよい。
【００１７】
このような構成によれば、伝達部材のスラスト力を利用して回転軸をさらに付勢方向に付勢することができる。
【００１８】
その結果、回転軸を確実に撓ませることができる。
（４）本発明のカートリッジは、伝達部材から駆動力が伝達されて移動し、その移動を外部の検知部材によって検知されるように構成される被検知部材をさらに備えてもよい。この場合、被検知部材は、第１はす歯と同じ方向へ向かうスラスト力を発生させる第２はす歯を有してもよい。
【００１９】
このような構成によれば、被検知部材を、伝達部材が噛み合うギアに噛合させることができる。
【００２０】
その結果、伝達部材に伝達される駆動力を利用して、簡易な構成で、被検知部材を回転させることができる。
【００２１】
また、被検知部材のスラスト力を利用して被検知部材を筐体に向かうように付勢することができる。
【００２２】
これにより、筐体の剛性を利用して、被検知部材の位置精度を確保することができる。
（５）本発明のカートリッジは、搬送部材の回転軸と平行な回転軸線を有し、搬送部材によって搬送された現像剤を担持するように構成されるローラ部材をさらに備えてもよい。また、筐体の内面に対する弾性部材の接触端部は、搬送部材の回転方向において、軸線方向中央が軸線方向端部よりも下流に位置してもよい。
【００２３】
このような構成によれば、現像剤を、軸線方向中央から軸線方向端部へ流動させながら搬送することができる。
【００２４】
そのため、搬送部材がローラ部材に現像剤を搬送するときに、ローラ部材の回転軸線に沿って現像剤を流動させることができる。
【００２５】
その結果、簡易な構成で、搬送部材からローラ部材への現像剤を搬送できながら、軸線方向において、ローラ部材に現像剤を均一に供給できる。
（６）弾性部材は、開口に近づくときに筐体の内面に接触し、開口から遠ざかるときに筐体の内面から離間してもよい。
【００２６】
このような構成によれば、開口から遠ざかるときに、弾性部材の撓みを開放することができる。
【００２７】
そのため、弾性部材の弾性力が回転軸に過度に作用することを防止できる。
【００２８】
その結果、現像剤を効率よく搬送することができながら、回転軸の破損を抑制できる。
【発明の効果】
【００２９】
本発明のカートリッジによれば、現像剤を効率よく搬送することができる。
【図面の簡単な説明】
【００３０】
【図１】図１は、本発明のカートリッジの一例としての現像カートリッジの中央断面図である。
【図２】図２は、図１に示す現像カートリッジが装着されるプリンタの中央断面図である。
【図３】図３は、図１に示す現像カートリッジの平面図である。
【図４】図４は、図１に示すベースフレームの右後方から見た斜視図である。
【図５】図５Ａは、図１に示すアジテータに対するアジテータギアの組み付け状態を説明する説明図である。図５Ｂは、図５ＡのＢ−Ｂ断面図である。
【図６】図６Ａは、ベースフレームに対するアジテータの組み付けを説明する説明図であって、ベースフレームにアジテータ軸の左端部を組み付ける工程を示す。図６Ｂは、図６Ａに続いてベースフレームに対するアジテータの組み付けを説明する説明図であって、ベースフレームにアジテータ軸の右端部を組み付ける工程を示す。なお、図６Ａおよび図６Ｂでは、アジテータ軸を明確に示すために、撹拌羽根を省略している。
【図７】図７は、現像カートリッジの新品検知動作を説明する説明図であって、未使用の現像カートリッジが装置本体に装着され、アクチュエータが検知位置に位置した状態を示す。
【図８】図８は、図７に示す状態において、現像カートリッジの左端部を前下方から見た斜視図である。
【図９】図９は、図７に続いて現像カートリッジの新品検知動作を説明する説明図であって、被検知ギアの左側面視時計回り方向上流端部がアクチュエータから離間し、アクチュエータが非検知位置に位置した状態を示す。
【図１０】図１０は、図９に続いて現像カートリッジの新品検知動作を説明する説明図であって、被検知ギアの左側面視時計回り方向下流端部がアクチュエータに当接し、アクチュエータが検知位置に位置した状態を示す。
【図１１】図１１は、アジテータの駆動を説明する説明図であって、図３のＡ−Ａに相当する断面図である。
【図１２】図１２は、図１１とともにアジテータの駆動を説明する説明図である。
【図１３】図１３は、図１１および図１２とともにアジテータの駆動を説明する説明図であって、図３のＣ−Ｃに相当する断面図である。
【発明を実施するための形態】
【００３１】
１．現像カートリッジの概略
図１に示すように、カートリッジの一例としての現像カートリッジ１は、現像ローラ２と、供給ローラ３と、層厚規制ブレード４と、トナー収容部５とを備えている。
【００３２】
なお、以下の説明において、現像カートリッジ１の方向に言及するときには、現像カートリッジ１を水平に載置した状態を上下の基準とする。すなわち、図１の紙面上方が上方であり、紙面下方が下方である。また、図１の紙面右方が前方であり、図１の紙面左方が後方である。また、現像カートリッジ１を前方から見たときを左右の基準とする。すなわち、図１の紙面手前が左方であり、紙面奥が右方である。左右方向は、軸線方向の一例である。左方は、軸線方向の一方の一例である。右方は、軸線方向の他方、および、付勢方向の一例である。
【００３３】
現像ローラ２は、現像カートリッジ１の後端部に回転可能に支持されている。
【００３４】
供給ローラ３は、現像ローラ２の前下方に回転可能に支持されている。供給ローラ３は、現像ローラ２の前下端部に接触している。
【００３５】
層厚規制ブレード４は、現像ローラ２の前上方に配置されている。層厚規制ブレード４は、現像ローラ２の前端部に接触している。
【００３６】
トナー収容部５は、供給ローラ３の前方に配置されている。トナー収容部５は、現像剤の一例としてのトナーを収容するように構成されている。トナー収容部５は、搬送部材の一例としてのアジテータ６を備えている。
【００３７】
アジテータ６は、トナー収容部５内に回転可能に支持されている。
２．現像カートリッジの使用態様
図２に示すように、現像カートリッジ１は、画像形成装置１１に装着されて使用される。
【００３８】
画像形成装置１１は、電子写真方式のモノクロプリンタである。画像形成装置１１は、外部の一例としての装置本体１２と、プロセスカートリッジ１３と、スキャナユニット１４と、定着ユニット１５とを備えている。
【００３９】
装置本体１２は、略ボックス形状に形成されている。装置本体１２は、開口部１６と、トップカバー１７と、給紙トレイ１８と、排紙トレイ１９とを有している。
【００４０】
開口部１６は、装置本体１２の前上端部に配置されている。開口部１６は、プロセスカートリッジ１３の通過を許容するように、装置本体１２の内外を前上方と後下方とを結ぶ方向に連通している。
【００４１】
トップカバー１７は、装置本体１２の上端部に配置されている。トップカバー１７は、前後方向に延びる略平板形状を有している。トップカバー１７は、その後端部を支点として装置本体１２の後壁の上端部に揺動可能に支持されている。トップカバー１７は、開口部１６を開放または閉鎖する。
【００４２】
給紙トレイ１８は、装置本体１２の底部に配置されている。給紙トレイ１８は、用紙Ｐが載置されるように構成されている。
【００４３】
排紙トレイ１９は、トップカバー１７の後半分に配置されている。排紙トレイ１９は、用紙Ｐが載置されるように、トップカバー１７の上面から下方へ凹んでいる。
【００４４】
プロセスカートリッジ１３は、装置本体１２の上下方向略中央に配置されている。プロセスカートリッジ１３は、開口部１６を介して装置本体１２に対して装着または離脱するように構成されている。プロセスカートリッジ１３は、ドラムカートリッジ２０と、現像カートリッジ１とを備えている。
【００４５】
ドラムカートリッジ２０は、感光ドラム２１と、スコロトロン型帯電器２２と、転写ローラ２３とを備えている。
【００４６】
感光ドラム２１は、ドラムカートリッジ２０の後端部に回転可能に支持されている。
【００４７】
スコロトロン型帯電器２２は、感光ドラム２１の上方において、感光ドラム２１と間隔を隔てて配置されている。
【００４８】
転写ローラ２３は、感光ドラム２１の後方に配置されている。転写ローラ２３は、感光ドラム２１の後端部と接触している。
【００４９】
現像カートリッジ１は、感光ドラム２１の前下方において、現像ローラ２が感光ドラム２１の前下端部に接触するように、ドラムカートリッジ２０に装着されている。現像カートリッジ１は、ドラムカートリッジ２０に対して装着または離脱可能である。
【００５０】
スキャナユニット１４は、装置本体１２の前端部内において、プロセスカートリッジ１３の前方に配置されている。スキャナユニット１４は、感光ドラム２１に向けて画像データに基づくレーザービームＬを出射するように構成されている。
【００５１】
定着ユニット１５は、プロセスカートリッジ１３の上方に配置されている。定着ユニット１５は、加熱ローラ２４と、加熱ローラ２４の後上端部に圧接される加圧ローラ２５とを備えている。
【００５２】
画像形成装置１１が画像形成動作を開始すると、スコロトロン型帯電器２２は、感光ドラム２１の表面を一様に帯電する。スキャナユニット１４は、感光ドラム２１の表面を露光する。これにより、画像データに基づく静電潜像が、感光ドラム２１の表面に形成される。
【００５３】
また、アジテータ６は、トナー収容部５内のトナーを撹拌して、供給ローラ３に供給する。供給ローラ３は、アジテータ６によって供給されたトナーを担持し、現像ローラ２に供給する。このとき、トナーは、現像ローラ２と供給ローラ３との間で正極性に摩擦帯電され、現像ローラ２に担持される。層厚規制ブレード４は、現像ローラ２に担持されたトナーの層厚を一定厚さに規制する。
【００５４】
そして、現像ローラ２に担持されたトナーは、感光ドラム２１表面の静電潜像に供給される。これにより、トナー像が、感光ドラム２１の表面に担持される。
【００５５】
用紙Ｐは、給紙トレイ１８から、各種ローラの回転により、所定のタイミングで１枚ずつ、感光ドラム２１と転写ローラ２３との間に給紙される。感光ドラム２１表面のトナー像は、用紙Ｐが感光ドラム２１と転写ローラ２３との間を通過するときに、用紙Ｐに転写される。
【００５６】
その後、用紙Ｐは、加熱ローラ２４と加圧ローラ２５との間を通過するときに加熱および加圧される。これにより、用紙Ｐ上のトナー像は、用紙Ｐに熱定着される。その後、用紙Ｐは、排紙トレイ１９に排紙される。
３．現像カートリッジの詳細
図１および図１１に示すように、現像カートリッジ１は、筐体の一例としての現像フレーム３１と、上記したアジテータ６と、付勢部材の一例としての圧縮ばね５１と、駆動ユニット３０とを備えている。
（１）現像フレーム
現像フレーム３１は、左右方向に延びる略ボックス形状を有している。現像フレーム３１は、上記した現像ローラ２、供給ローラ３、層厚規制ブレード４およびアジテータ６を支持している。現像フレーム３１は、ベースフレーム３２と、カバーフレーム３３とを備えている。
【００５７】
ベースフレーム３２は、図４および図１１に示すように、上端部および後端部が開放された有底枠形状を有している。ベースフレーム３２は、左壁３４と、右壁３５と、下壁３６と、前壁３７とを備えている。
【００５８】
左壁３４は、ベースフレーム３２の左端部に配置されている。左壁３４は、前後方向に延びる側面視略矩形の略平板形状を有している。左壁３４は、ギア挿通穴３８と、ばね支持部３９と、シール支持部４０とを有している。
【００５９】
ギア挿通穴３８は、左壁３４の前端部の上下方向略中央に配置されている。ギア挿通穴３８は、側面視略円形状を有し、左壁３４を左右方向に貫通している。
【００６０】
ばね支持部３９は、ギア挿通穴３８を囲むように、ギア挿通穴３８の周縁からギア挿通穴３８の径方向外方に間隔を空けて配置されている。ばね支持部３９は、左壁３４の右面から右方に向かって突出し、後方に向かって開放される側面視略Ｃ字状の部分円筒形状を有している。
【００６１】
シール支持部４０は、左壁３４の左面において、ギア挿通穴３８を囲むように、ギア挿通穴３８の周縁からギア挿通穴３８の径方向外方に間隔を空けて配置されている。シール支持部４０は、左壁３４の左面から左方に向かって突出する略円筒形状を有している。
【００６２】
右壁３５は、ベースフレーム３２の右端部に配置されている。右壁３５は、左壁３４と同様に、前後方向に延びる側面視略矩形の略平板形状を有している。右壁３５は、トナー充填口４１と、筒部４２と、軸受部４３と、複数の桟部４４とを有している。
【００６３】
トナー充填口４１は、右壁３５の側面視略中央に配置されている。トナー充填口４１は、側面視略円形状を有しており、右壁３５を左右方向に貫通している。トナー充填口４１は、トナーキャップ４５（図１１参照）により閉鎖される。
【００６４】
筒部４２は、トナー充填口４１の周縁から右方に向かって突出し、左右方向に延びる略円筒形状を有している。
【００６５】
軸受部４３は、筒部４２内に配置されている。軸受部４３は、左右方向に延び、右端部が閉鎖される略円筒形状を有している。軸受部４３の外径は、筒部４２の内径よりも小さい。また、軸受部４３の中心軸線は、左右方向に投影したときに、ギア挿通穴３８の中心と一致している。
【００６６】
複数の桟部４４のそれぞれは、筒部４２の径方向に延びる略杆形状を有し、筒部４２の内周面と軸受部４３の外周面とを連結している。複数の桟部４４のそれぞれは、筒部４２の周方向に互いに略１２０°の間隔を空けて配置されている。
【００６７】
下壁３６は、図１および図４に示すように、ベースフレーム３２の下端部に配置されている。下壁３６の左右両端部のそれぞれは、左壁３４および右壁３５のそれぞれの下端部に連続している。下壁３６は、第１部分３６Ａと、第２部分３６Ｂと、第３部分３６Ｃとを備えている。
【００６８】
第１部分３６Ａは、下壁３６の前半分に配置されている。第１部分３６Ａは、断面視略円弧形状を有している。第１部分３６Ａの前後方向略中央は、下方へ凹んでいる。
【００６９】
第２部分３６Ｂは、第１部分３６Ａの後方において、供給ローラ３の下方に配置されている。第２部分３６Ｂは、断面視略円弧形状を有している。第２部分３６Ｂは、第１部分３６Ａの後端部に連続して、供給ローラ３の外周面に沿って湾曲するように後方へ延びている。
【００７０】
第３部分３６Ｃは、第２部分３６Ｂの後方において、現像ローラ２の下方に配置されている。第３部分３６Ｃは、断面視略直線形状を有している。第３部分３６Ｃは、第２部分３６Ｂの後端部に連続して、後方に向かって延びている。第３部分３６Ｃの前端部と、カバーフレーム３３の後端部との間が開口５０である。
【００７１】
前壁３７は、ベースフレーム３２の前端部に配置されている。前壁３７は、下壁３６の前端部に連続して上方へ延びる略平板形状を有している。前壁３７の左右両端部のそれぞれは、左壁３４および右壁３５のそれぞれの前端部に連続している。
【００７２】
カバーフレーム３３は、図１に示すように、ベースフレーム３２の上方に配置されている。カバーフレーム３３は、左右方向に延びる平面視略矩形の平板形状を有している。カバーフレーム３３は、膨出部４８と、突出壁４６とを備えている。
【００７３】
膨出部４８は、カバーフレーム３３の前半分に配置されている。膨出部４８は、カバーフレーム３３の上面から上方へ膨出するように、左右方向に長い平面視略矩形の筒形状を有している。膨出部４８は、上端部が閉鎖され、下端部が開放されている。
【００７４】
突出壁４６は、カバーフレーム３３の後半分において、下壁３６の第１部分３６Ａと第２部分３６Ｂとの連続部分３６Ｄの上方に間隔を隔てて配置されている。突出壁４６は、カバーフレーム３３の下面から下方へ突出し、左右方向に延びる略平板形状を有している。
【００７５】
突出壁４６と、下壁３６の連続部分３６Ｄとの間が連通口４９である。現像フレーム３１において、連通口４９よりも前方に配置される部分、言い換えると、突出壁４６の下端部と下壁３６の連続部分３６Ｄとを結ぶ仮想線Ｌよりも前方に配置される部分が、トナー収容部５である。また、現像フレーム３１において、連通口４９よりも後方に配置される部分、言い換えると、仮想線Ｌよりも後方に配置される部分が現像部４７である。すなわち、現像部４７は、現像ローラ２、供給ローラ３および層厚規制ブレード４を支持している。
（２）アジテータおよび圧縮ばね
アジテータ６は、図５Ａおよび図１１に示すように、回転軸の一例としてのアジテータ軸６１と、弾性部材の一例としての撹拌羽根６２とを備えている。
【００７６】
アジテータ軸６１は、軸本体６５と、ばね支持板６３と、１対の回動軸６６とを備えている。
【００７７】
軸本体６５は、左右方向に延びる略角柱形状を有している。すなわち、アジテータ軸６１の回転軸線Ａ１は、左右方向に延びている。軸本体６５は、現像フレーム３１のベースフレーム３２、および、下壁３６に対して間隔を隔てている。
【００７８】
ばね支持板６３は、軸本体６５の左方において、軸本体６５の左端部に連続して配置されている。ばね支持板６３は、左右方向に厚みを有する略円板形状を有している。ばね支持板６３の寸法は、アジテータ軸６１の回転軸線Ａ１と直交する方向において、軸本体６５の寸法よりも長い。
【００７９】
１対の回動軸６６のそれぞれは、アジテータ軸６１の左右両端部に１つずつ配置されている。
【００８０】
左方の回動軸６６Ｌは、ばね支持板６３の左面から左方に向かって突出する略円柱形状を有している。左方の回動軸６６Ｌの左半分は、その径方向一端部が切り欠かれることにより、側面視略Ｄ字形状を有している。左方の回動軸６６Ｌは、左壁３４のギア挿通穴３８内において、後述するアジテータギア５２の軸受部７７Ｂ内にわずかに遊びを有して相対回転不能に嵌まっている。左方の回動軸６６Ｌの外径は、アジテータ軸６１の回転軸線Ａ１と直交する方向における軸本体６５の寸法よりも短い。左方の回動軸６６Ｌは、第１端部の一例である。
【００８１】
右方の回動軸６６Ｒは、軸本体６５の右面から右方に向かって突出する略円柱形状を有している。右方の回動軸６６Ｒは、右壁３５の軸受部４３内に相対回転可能に嵌まっている。右方の回動軸６６Ｒは、左方の回動軸６６Ｌと中心軸線を共有している。この中心軸線は、アジテータ軸６１の回転軸線Ａ１である。右方の回動軸６６Ｒは、第２端部の一例である。
【００８２】
撹拌羽根６２は、左右方向に延びる略平板形状を有している。撹拌羽根６２は、ポリエチレンテレフタレート（ＰＥＴ）などの可撓性を有する材料からなるフィルムである。撹拌羽根６２の一端部、すなわち固定端部６２Ａは、両面テープ６７を介してアジテータ軸６１の軸本体６５に固定されている。撹拌羽根６２の他端部、すなわち遊端部６２Ｂは、ベースフレーム３２の下方内面に接触するように、アジテータ軸６１の回転軸線Ａ１と直交する方向において、ばね支持板６３よりも外方へ延びている。撹拌羽根６２の遊端部６２Ｂは、接触端部の一例である。また、撹拌羽根６２は、複数の貫通穴６４を有している。また、撹拌羽根６２は、その遊端部６２Ｂに貼付される補強フィルム６８を有している。
【００８３】
複数の貫通穴６４のそれぞれは、左右方向に互いに間隔を空けて並列配置されている。複数の貫通穴６４のそれぞれは、左右方向に延びる略矩形状を有している。
【００８４】
圧縮ばね５１は、左右方向に沿う螺旋形状を有している。圧縮ばね５１の内径は、アジテータ軸６１の左方の回動軸６６Ｌよりも大きい。また、圧縮ばね５１の外径は、ベースフレーム３２のばね支持部３９の内径よりもわずかに小さい。圧縮ばね５１は、アジテータ軸６１の左方の回動軸６６Ｌの周囲に巻回されている。圧縮ばね５１の右端部は、ばね支持板６３の左面に当接している。圧縮ばね５１の左端部は、ベースフレーム３２のばね支持部３９の径方向内方に嵌まっている。これにより、圧縮ばね５１は、アジテータ軸６１のばね支持板６３を、常に右方へ付勢している。
（３）駆動ユニット
駆動ユニット３０は、図３および図７に示すように、現像カートリッジ１の左端部において、現像フレーム３１の左方に配置されている。駆動ユニット３０は、ギア列７１と、ギアカバー７２とを備えている。
【００８５】
ギア列７１は、図７に示すように、現像カップリング７３、現像ギア７４、供給ギア７５、アイドルギア７６、伝達部材の一例としてのアジテータギア７７、係止部材７８、シール部材７９、および、被検知部材の一例としての被検知ギア８０を備えている。
【００８６】
現像カップリング７３は、ベースフレーム３２の左壁３４の前後方向略中央に回転可能に支持されている。現像カップリング７３は、左右方向に延びる略円柱形状を有している。現像カップリング７３は、大径ギア部７３Ａと、小径ギア部７３Ｂと、カップリング部７３Ｃとを一体的に備えている。
【００８７】
大径ギア部７３Ａは、現像カップリング７３の右端部に配置されている。大径ギア部７３Ａは、左右方向に厚みを有する略円板形状を有している。大径ギア部７３Ａは、その全周にわたってギア歯を有している。
【００８８】
小径ギア部７３Ｂは、大径ギア部７３Ａの左面から左方へ突出する略円筒形状を有している。小径ギア部７３Ｂの外径は、大径ギア部７３Ａの外径よりも小さい。小径ギア部７３Ｂの中心軸線は、大径ギア部７３Ａの中心軸線と一致している。小径ギア部７３Ｂは、その全周にわたってギア歯を有している。
【００８９】
カップリング部７３Ｃは、小径ギア部７３Ｂの径方向内方に配置されている。カップリング部７３Ｃは、大径ギア部７３Ａの左面から左方へ突出し、左端部が閉鎖された略円筒形状を有している。カップリング部７３Ｃの外径は、小径ギア部７３Ｂの内径よりも小さい。カップリング部７３Ｃの中心軸線は、大径ギア部７３Ａの中心軸線と一致している。カップリング部７３Ｃは、結合凹部７３Ｄを有している。
【００９０】
結合凹部７３Ｄは、現像カップリング７３の左面から右方へ凹み、現像カップリング７３の径方向に延びる側面視略長穴形状を有している。
【００９１】
現像ギア７４は、現像カップリング７３の後方に配置されている。現像ギア７４は、左右方向に厚みを有する略円板形状を有している。現像ギア７４は、その全周にわたってギア歯を有している。現像ギア７４は、現像ローラ２の左端部に相対回転不能に支持されている。現像ギア７４は、現像カップリング７３の大径ギア部７３Ａの後端部に噛み合っている。
【００９２】
供給ギア７５は、現像カップリング７３の下方に配置されている。供給ギア７５は、左右方向に厚みを有する略円板形状を有している。供給ギア７５は、その全周にわたって、ギア歯を有している。供給ギア７５は、供給ローラ３の左端部に相対回転不能に支持されている。供給ギア７５は、現像カップリング７３の小径ギア部７３Ｂの下端部に噛み合っている。
【００９３】
アイドルギア７６は、現像カップリング７３の前方に配置されている。アイドルギア７６は、左右方向に延びる略円筒形状を有している。アイドルギア７６は、ベースフレーム３２の左壁３４に回転可能に支持されている。アイドルギア７６は、大径部７６Ａと、小径部７６Ｂとを一体的に有している。
【００９４】
大径部７６Ａは、アイドルギア７６の左端部に配置されている。大径部７６Ａは、左右方向に厚みを有する略円板形状を有している。大径部７６Ａは、その全周にわたってギア歯を有している。大径部７６Ａは、現像カップリング７３の小径ギア部７３Ｂの前端部に噛み合っている。
【００９５】
小径部７６Ｂは、大径部７６Ａの右面から右方へ延びる略円筒形状を有している。小径部７６Ｂの外径は、大径部７６Ａの外径よりも小径である。小径部７６Ｂは、大径部７６Ａと中心軸線を共有している。小径部７６Ｂは、その全周にわたって右ねじれのはす歯を有している。小径部７６Ｂは、現像カップリング７３の大径ギア部７３Ａの前方に間隔を隔てて配置されている。
【００９６】
アジテータギア７７は、アイドルギア７６の後下方において、現像カップリング７３の右方に配置されている。アジテータギア７７は、図５Ａおよび図１１に示すように、左右方向に延びる略円筒形状を有している。アジテータギア７７は、ギア部７７Ａと、軸受部７７Ｂとを一体に有している。
【００９７】
ギア部７７Ａは、アジテータギア５２の左端部に配置されている。ギア部７７Ａは、左右方向に厚みを有する略円板形状を有している。ギア部７７Ａは、その周面すべてにわたって左ねじれのはす歯を有している。ギア部７７Ａのはす歯は、第１はす歯の一例である。ギア部７７Ａは、アイドルギア７６の小径部７６Ｂの後下端部に噛み合っている。ギア部７７Ａは、嵌合穴７７Ｃを有している。
【００９８】
嵌合穴７７Ｃは、ギア部７７Ａの径方向中央に配置されている。嵌合穴７７Ｃは、ギア部７７Ａの左面から右方に凹み、側面視略Ｄ字形状を有している。
【００９９】
軸受部７７Ｂは、ギア部７７Ａの右面にから右方へ突出する略円筒形状を有している。軸受部７７Ｂの外径は、ギア部７７Ａの外径よりも小さく、ベースフレーム３２のギア挿通穴３８の内径とほぼ同じである。また、軸受部７７Ｂの内径は、アジテータ軸６１の回動軸６６の外径とほぼ同じである。軸受部７７Ｂは、ベースフレーム３２のギア挿通穴３８内に相対回転可能に嵌まるとともに、アジテータ軸６１の左方の回動軸６６Ｌに径方向外方から相対回転不能に嵌まっている。
【０１００】
係止部材７８は、嵌合部７８Ａと、爪部７８Ｂとを備えている。
【０１０１】
嵌合部７８Ａは、左端部が閉鎖された側面視略Ｄ字形の筒形状を有している。嵌合部７８Ａは、ギア部７７Ａの嵌合穴７７Ｃ内に嵌まっている。
【０１０２】
爪部７８Ｂは、嵌合部７８Ａの左端部から、径方向外方にわずかに延びた後、右方に向かって延びる略爪形状を有している。爪部７８Ｂは、ギア部７７Ａの嵌合穴７７Ｃ内において、図示しない係合部に係合する。
【０１０３】
シール部材７９は、樹脂製のスポンジなどからなり、左右方向に延びる略円筒形状を有している。シール部材７９は、アジテータギア５２の軸受部７７Ｂに径方向外方から嵌まるとともに、ベースフレーム３２のシール支持部４０内に嵌まっている。シール部材７９は、アジテータギア５２の軸受部７７Ｂの外周面と、ベースフレーム３２のシール支持部４０の内周面との間で圧縮されている。
【０１０４】
被検知ギア８０は、図７に示すように、アイドルギア７６の前下方において、アジテータギア７７の前方に間隔を隔てて配置されている。被検知ギア８０は、左右方向に厚みを有する略半円板形状を有している。被検知ギア８０は、その周面において、左ねじれのはす歯を有している。被検知ギア８０のはす歯は、第２はす歯の一例である。被検知ギア８０の左側面視時計回り方向下流端部は、現像カートリッジ１が未使用である状態で、アイドルギア７６の小径部７６Ｂの前下端部に噛み合っている。
【０１０５】
ギアカバー７２は、図８に示すように、右端部が開放され、左端部が閉鎖された略ボックス形状を有している。ギアカバー７２は、ギア列７１を被覆するように、ベースフレーム３２の左壁３４に支持されている。ギアカバー７２は、カップリング開口８１と、被検知ギア開口８２とを有している。
【０１０６】
カップリング開口８１は、ギアカバー７２の前後方向中央に配置されている。カップリング開口８１は、側面視略円形状を有し、ギアカバー７２の左壁を左右方向に貫通している。カップリング開口８１は、現像カップリング７３のカップリング部７３Ｃを露出している。
【０１０７】
被検知ギア開口８２は、ギアカバー７２の前下端部に配置されている。被検知ギア開口８２は、正面視略矩形状を有し、ギアカバー７２の前下壁を上下方向に貫通している。被検知ギア開口８２は、被検知ギア８０を露出している。
４．本体ケーシングの構成
装置本体１２は、図７に示すように、検知部材の一例のとしてのアクチュエータ９１と、センサ９２と、ＣＰＵ９３とを備えている。
【０１０８】
アクチュエータ９１は、プロセスカートリッジ１３の前下方に配置されている。アクチュエータ９１は、後述する検知部９５が後上方に向かって起立する非検知位置（図９参照）と、後述する検知部９５が後方へ傾倒する検知位置（図７参照）とに回動可能である。なお、アクチュエータ９１は、図示しない付勢部材により、常には、非検知位置に向かって付勢されている。アクチュエータ９１は、回動軸９４と、検知部９５と、作用部９６とを備えている。
【０１０９】
回動軸９４は、左右方向に延びる略円柱形状を有している。回動軸９４は、装置本体１２内に回転可能に支持されている。
【０１１０】
検知部９５は、回動軸９４の後上端部から後上方へ延びる略杆形状を有している。
【０１１１】
作用部９６は、回動軸９４の下端部から下方へ延びる略扇形の平板形状を有している。
【０１１２】
センサ９２は、光センサであり、検知光を発光する発光部と、検知光を受光する受光部とで、検知位置におけるアクチュエータ９１の作用部９６を挟むように配置されている。センサ９２の検知光は、アクチュエータ９１が検知位置に配置されているときに、作用部９６によって遮光される。このとき、センサ９２は、検知信号を発信しない（センサ：ＯＦＦ）。また、センサ９２は、アクチュエータ９１が非検知位置に配置されているときに、受光部において検知光を受光する。このとき、センサ９２は、検知信号を発信する（センサ：ＯＮ）。
【０１１３】
ＣＰＵ９３は、上記したセンサ９２に電気的に接続されている。ＣＰＵ９３は、センサ９２からの検知信号を受信する。
５．アジテータの組み付け
アジテータ６をベースフレーム３２に組み付けるときには、作業者は、まず、圧縮ばね５１の内方に左方の回動軸６６Ｌを挿入する。
【０１１４】
次いで、作業者は、図６Ａに示すように、アジテータ軸６１の左方の回動軸６６Ｌを、ベースフレーム３２の左壁３４のギア挿通穴３８に挿入する。このとき、圧縮ばね５１の左端部は、左壁３４のばね支持部３９に嵌まる。
【０１１５】
次いで、作業者は、図６Ｂに示すように、圧縮ばね５１を圧縮しながらアジテータ軸６１の左方の回動軸６６Ｌをギア挿通穴３８にさらに挿入し、アジテータ軸６１を撓めながら、右方の回動軸６６Ｒを、ベースフレーム３２の右壁３５の軸受部４３に挿入する。
【０１１６】
このように、アジテータ６は、ベースフレーム３２に対して組み付けられる。
６．現像カートリッジの動作
（１）新品検知動作
プロセスカートリッジ１３が現像カートリッジ１に装着されると、図７に示すように、被検知ギア８０の左側面視時計回り方向上流端部は、アクチュエータ９１の検知部９５に対して上方から当接する。すると、アクチュエータ９１は、検知位置に位置する。
【０１１７】
また、図８に示すように、装置本体１２内の本体カップリング９０は、現像カートリッジ１の現像カップリング７３に相対回転不能に嵌合する。
【０１１８】
その後、装置本体１２は、本体カップリング９０を介して現像カップリング７３に駆動力を伝達する。
【０１１９】
すると、被検知ギア８０は、ギア列７１を介して駆動力を受けて、左側面視時計回りに回転する。
【０１２０】
これにより、図９に示すように、被検知ギア８０の左側面視時計回り方向上流端部は、アクチュエータ９１の検知部９５から後方へ離間する。
【０１２１】
すると、アクチュエータ９１は、左側面視時計回りに回動して、非検知位置に位置する。
【０１２２】
次いで、図１０に示すように、被検知ギア８０がさらに回転すると、被検知ギア８０の左側面視時計回り方向下流端部は、アクチュエータ９１の検知部９５に対して上方から当接し、アクチュエータ９１の検知部９５を下方へ押圧する。
【０１２３】
すると、アクチュエータ９１は、左側面視反時計回りに回動し、非検知位置から検知位置へ移動する。
【０１２４】
その後、被検知ギア８０がさらに回転すると、被検知ギア８０の左側面視時計回り方向上流端部は、アイドルギア７６の小径部７６Ｂから前方へ離間する。これにより、被検知ギア８０とアイドルギア７６との噛み合いは、解除される。
【０１２５】
そして、装置本体１２内のＣＰＵ９３は、センサ９２が、アクチュエータ９１が検知位置、非検知位置、検知位置の順に移動されたことを検知したとき、詳しくは、ＣＰＵ９３が、センサ９２からの検知信号の受信が解除された（センサ：ＯＦＦ）後に、一旦、センサ９２からの検知信号を受信し（センサ：ＯＮ）、その後、再び、センサ９２からの検知信号の受信が解除された（センサ：ＯＦＦ）ときに、現像カートリッジ１が未使用であると判断する。
【０１２６】
また、使用途中の現像カートリッジ１が装置本体１２に装着されたときには、被検知ギア８０とアイドルギア７６との噛合は、解除されている。そのため、被検知ギア８０は、回転せず、被検知ギア８０の左側面視時計回り方向下流端部は、アクチュエータ９１の検知部９５に対して上方から当接し続ける。
【０１２７】
これにより、アクチュエータ９１は、検知位置に位置し続ける。
【０１２８】
すると、装置本体１２内のＣＰＵ９３は、センサ９２が、アクチュエータ９１が所定時間にわたって検知位置に配置され続けたことを検知したとき、具体的には、ＣＰＵ９３が、所定時間にわたってセンサ９２からの受信が解除された（センサ：ＯＦＦ）し続けたときに、現像カートリッジ１が使用途中であると判断する。
（２）トナー収容部から現像部へのトナーの供給
現像カップリング７３が装置本体１２からの駆動力を受けると、ギア列７１を介してアジテータギア７７に駆動力が伝達され、アジテータ軸６１が左側面視時計回り方向に回転される。このとき、アジテータギア７７は、左ねじれのはす歯を有しているので、左側面視時計回り方向に回転されると、右方へ向かうスラスト力を受ける。なお、以下の説明において、アジテータ軸６１の回転方向、すなわち左側面視時計回り方向を、回転方向Ｒと記載する。
【０１２９】
アジテータ軸６１が回転すると、上記し、図１に示すように、撹拌羽根６２は、トナー収容部５内のトナーを撹拌するとともに後方に向かって搬送する。このとき、撹拌羽根６２の遊端部は、下壁３６の第１部分３６Ａの内面と摺擦しており、回転方向Ｒの上流に向かって反るように湾曲している。これにより、撹拌羽根６２の弾性力は、アジテータ軸６１を上方へ押圧するように、アジテータ軸６１の軸本体６５に作用する。
【０１３０】
すると、アジテータ軸６１は、図１１に示すように、軸本体６５において撹拌羽根６２の弾性力によって上方へ押圧されるとともに、ばね支持板６３において圧縮ばね５１の付勢力およびアジテータギア７７のスラスト力によって右方へ押圧される。
【０１３１】
このとき、アジテータ軸６１の左端部は、アジテータギア５２の軸受部７７Ｂを介して左壁３４に支持され、アジテータ軸６１の右端部は、右壁３５の軸受部４３に支持されている。すなわち、アジテータ軸６１の左右両端部のそれぞれは、軸受部７７Ｂおよび軸受部４３のそれぞれによって上下方向への移動が規制されている。
【０１３２】
そのため、アジテータ軸６１は、その左右方向中央がその左右両端部よりも上方へ向かって膨出するように撓む。なお、このときのアジテータ軸６１の左右方向中央を、図１３中に仮想線で示す。
【０１３３】
すると、図１、図１２および図１３に示すように、撹拌羽根６２の固定端部６２Ａの左右方向中央６２ＡＣは、その左右方向両端部６２ＡＥよりも上方に位置する。
【０１３４】
これにより、撹拌羽根６２の遊端部６２Ｂの左右方向中央６２ＢＣは、図１３に仮想線で示すように、その左右方向両端部６２ＢＥよりも少し復元するように変形する。すると、撹拌羽根６２遊端部６２Ｂの左右方向中央６２ＢＣは、その左右方向両端部６２ＢＥよりも後方に配置されるように、下壁３６に接触する。
【０１３５】
そして、この状態でアジテータ軸６１がさらに回転すると、トナー収容部５内のトナーは、左右方向中央から左右方向両端部へ流動しながら、供給ローラ３に供給される。
【０１３６】
また、撹拌羽根６２は、下壁３６の第１部分３６Ａから後上方へ離間し、復元する。これにより、撹拌羽根６２によって搬送されているトナーは、撹拌羽根６２の弾性力によって、トナー収容部５から連通口４９を介して後方へ送り出されるように現像部４７内に供給される。
【０１３７】
そして、さらにアジテータ軸６１がさらに回転すると、撹拌羽根６２は、図１に仮想線で示すように、復元された状態で、トナー収容部５の上端部内を後方から前方へ通過する。すなわち、撹拌羽根６２は、トナー収容部５の下壁３６に摺擦しながら前方から後方へ移動し、後方から前方へ移動するときに、トナー収容部５の上面から離間している。
【０１３８】
このように、トナー収容部５内のトナーは、現像部４７に供給される。
７．作用効果
（１）この現像カートリッジ１によれば、図１１に示すように、アジテータ軸６１は、圧縮ばね５１によって右方に付勢されている。そして、撹拌羽根６２が現像フレーム３１の下壁３６の内面に接触すると、アジテータ軸６１は、撹拌羽根６２の弾性によって、上方へ押圧される。
【０１３９】
ここで、アジテータ軸６１を右方に付勢するだけでは、アジテータ軸６１を撓ませることはできず、また、撹拌羽根６２の弾性力を下方からアジテータ軸６１に作用させるだけでは、アジテータ軸６１をほとんど撓ませることができない。
【０１４０】
しかし、上記したように、アジテータ軸６１を右方に付勢した状態で、撹拌羽根６２の弾性力を下方からアジテータ軸６１に作用させると、撹拌羽根６２の弾性力によってわずかに撓んだアジテータ軸６１を、圧縮ばね５１の付勢力によって、より大きく撓ませることができる。
【０１４１】
このように、アジテータ軸６１の左右方向中央は、撹拌羽根６２によって押圧された方向に撓む。
【０１４２】
これにより、図１２に示すように、撹拌羽根６２は、その左右方向中央６２ＢＣが左右方向両端部６２ＢＥよりも復元した状態で現像フレーム３１の下壁３６の内面に接触する。つまり、撹拌羽根６２は、アジテータ軸６１の回転方向において、左右方向中央６２ＢＣと左右方向両端部６２ＢＥとの位置がずれた状態で、現像フレーム３１の下壁３６の内面に接触する。
【０１４３】
その結果、トナーを左右方向に流動させながら、効率よく搬送することができる。
（２）この現像カートリッジ１によれば、図５Ａおよび図１１に示すように、アジテータギア７７は、アジテータ軸６１の左方の回動軸６６Ｌに対して相対回転不能に嵌まり、かつ、現像フレーム３１のギア挿通穴３８内に相対回転可能に支持されている。
【０１４４】
そのため、アジテータ軸６１が撓んだときに、アジテータギア７７がアジテータ軸６１の撓みに応じて傾くことを抑制できる。
【０１４５】
その結果、装置本体１２からの駆動力をアジテータギア７７で確実に受けることができる。
（３）この現像カートリッジ１によれば、図５Ａに示すように、アジテータギア７７は、左ねじれのはす歯を有している。そして、アジテータギア７７は、左側面視時計回り方向に回転される。
【０１４６】
そのため、アジテータギア７７のスラスト力を利用してアジテータ軸６１をさらに右方に付勢することができる。
【０１４７】
その結果、アジテータ軸６１を確実に撓ませることができる。
（４）この現像カートリッジ１によれば、図８に示すように、被検知ギア８０は、アジテータギア７７のはす歯と同じ左ねじれのはす歯を有している。
【０１４８】
そのため、被検知ギア８０を、アジテータギア７７が噛み合うアイドルギア７６の小径部７６Ｂに噛合させることができる。
【０１４９】
その結果、アジテータギア７７に伝達される駆動力を利用して、簡易な構成で、被検知ギア８０を回転させることができる。
【０１５０】
また、被検知ギア８０のスラスト力を利用して被検知ギア８０を現像フレーム３１に向かうように右方に付勢することができる。
【０１５１】
これにより、現像フレーム３１の剛性を利用して、被検知ギア８０の位置精度を確保することができる。
（５）この現像カートリッジ１によれば、図１２に示すように、撹拌羽根６２は、左右方向中央６２ＢＣが左右方向両端部６２ＢＥよりも後方に配置されるように、下壁３６に対して接触する。
【０１５２】
そのため、トナーを、左右方向中央から左右方向両端部へ流動させながら搬送することができる。
【０１５３】
これにより、アジテータ６が供給ローラ３にトナーを搬送するときに、左右方向に沿ってトナーを流動させることができる。
【０１５４】
その結果、簡易な構成で、アジテータ６から供給ローラ３へのトナーを搬送できながら、左右方向において、供給ローラ３にトナーを均一に供給できる。
６）この現像カートリッジ１によれば、図１に示すように、開口５０から遠ざかるときに、撹拌羽根６２の撓みを開放することができる。
【０１５５】
そのため、撹拌羽根６２の弾性力がアジテータ軸６１に過度に作用することを防止できる。
【０１５６】
その結果、トナーを効率よく搬送することができながら、アジテータ軸６１の破損を抑制できる。
８．変形例
上記した実施形態では、カートリッジの一例として現像ローラ２を有する現像カートリッジ１を挙げているが、カートリッジは、現像ローラ２、供給ローラ３および層厚規制ブレード４を有さないトナーカートリッジであってもよい。
【０１５７】
また、上記した撹拌羽根６２は、ＰＥＴフィルムの他、金属製の薄板や、ゴムからなる板状の部材であってもよい。
【０１５８】
また、上記した圧縮ばね５１は、付勢部材の一例であるが、付勢部材には、ゴムやスポンジなどの弾性材料が含まれる。
【０１５９】
また、上記した供給ローラ３は、ローラ部材の一例であるが、ローラ部材には、供給ローラ３の他、現像ローラ２や、現像スリーブ、ブラシ状のローラなどが含まれる。
【符号の説明】
【０１６０】
１      現像カートリッジ
６      アジテータ
３１    現像フレーム
５０    開口
５１    圧縮ばね
６１    アジテータ軸
６２    撹拌羽根
６６    回動軸
７７    アジテータギア
８０    被検知ギア
【図１】
2015087664.tif 000003
【図２】
2015087664.tif 000004
【図３】
2015087664.tif 000005
【図４】
2015087664.tif 000006
【図５】
2015087664.tif 000007
【図６】
2015087664.tif 000008
【図７】
2015087664.tif 000009
【図８】
2015087664.tif 000010
【図９】
2015087664.tif 000011
【図１０】
2015087664.tif 000012
【図１１】
2015087664.tif 000013
【図１２】
2015087664.tif 000014
【図１３】
2015087664.tif 000015